(57)【要約】【課題】録画予約データや視聴予約データの引継ぎが容易かつ確実となり利便性が高い放送受信装置を提供する。【解決手段】予約設定により記憶部１１に記憶された録画予約データおよび視聴予約データを制御部７がメモリカードインタフェイス１０に接続されたメモリカードに記録させる。また、メモリカードに記録された録画予約データおよび視聴予約データを制御部７が記憶部１１に記憶させ、記憶部１１に記憶された録画予約データに基づく録画動作および記憶部１１に記憶された視聴予約データに基づく視聴用動作が行われる。【選択図】図１
2008066772.tif 000002
【特許請求の範囲】
【請求項１】
録画予約機能および／または視聴予約機能を有する放送受信装置において、
外部記録媒体が着脱自在に装着される装着手段と、
録画予約データおよび／または視聴予約データが記憶される記憶部と、
該記憶部に記憶された録画予約データおよび／または視聴予約データを前記装着手段に装着された外部記録媒体に記録させる記録手段と、
前記装着手段に装着された外部記録媒体に記録された録画予約データおよび／または視聴予約データを前記記憶部に記憶させる記憶手段と、を備え、
前記記憶部に記憶された録画予約データに基づく録画動作および／または前記記憶部に記憶された視聴予約データに基づく視聴用動作を行うことを特徴とする放送受信装置。
【請求項２】
録画予約機能および／または視聴予約機能を有する放送受信装置において、
外部記録媒体が着脱自在に装着される装着手段と、
録画予約データおよび／または視聴予約データが記憶される記憶部と、
該記憶部に記憶された録画予約データおよび／または視聴予約データを前記装着手段に装着された外部記録媒体に記録させる記録手段と、を備えることを特徴とする放送受信装置。
【請求項３】
外部記録媒体が着脱自在に装着される装着手段と、
記憶部と、
前記装着手段に装着された外部記録媒体に記録された録画予約データおよび／または視聴予約データを前記記憶部に記憶させる記憶手段と、を備え、
前記記憶部に記憶された録画予約データに基づく録画動作および／または前記記憶部に記憶された視聴予約データに基づく視聴用動作を行うことを特徴とする放送受信装置。
【発明の詳細な説明】
【技術分野】
【０００１】
本発明は放送受信装置に関するものである。
【背景技術】
【０００２】
ビデオテープレコーダ、ハードディスクレコーダ、ＤＶＤレコーダ、テレビ等の放送受信装置には一般的に録画予約機能や視聴予約機能が付いている。
【０００３】
例えば、特許文献１には次のようなビデオテープレコーダ番組録画予約装置が開示されている。本ビデオテープレコーダ番組録画予約装置は、ビデオテープレコーダ、テレビ、専用端末、リモコンからなる。専用端末はＥＰＧデータを受信し、このＥＰＧデータに基づきテレビに番組表を表示させる。そして、リモコンによる番組表における番組の選択結果に基づき専用端末が番組録画予約情報を作成し、作成された番組録画予約情報をリモコンに送信する。リモコンは番組録画予約情報を受信し、内部に記憶する。その後、リモコンはビデオテープレコーダに番組録画予約情報を転送する。これにより、ビデオテープレコーダに番組録画予約をすることができる。
【特許文献１】特開２０００−１５２１５５号公報
【発明の開示】
【発明が解決しようとする課題】
【０００４】
しかし、上記特許文献１のビデオテープレコーダ番組録画予約装置には次のような問題点がある。ビデオテープレコーダに上記のような方法による番組録画予約がされた状態で、ユーザが新しいビデオテープレコーダを新たに購入し、現在使用しているビデオテープレコーダの使用をやめ、新しいビデオテープレコーダを今後使用しようとする場合や、現在使用しているビデオテープレコーダを修理に出し、代替品のビデオテープレコーダを今後使用しようとする場合、現在使用しているビデオテープレコーダの番組録画予約内容を新たなビデオテープレコーダに引き継ぐ必要がある。しかし、このときユーザは、番組表をテレビに表示させて再度番組を選択して新たなビデオテープレコーダに番組録画予約するしかなく、非常に面倒である。また、番組の選択をユーザが誤り、新たなビデオテープレコーダの番組録画予約内容が所望するものと異なってしまい、所望する録画ができないという可能性もある。
【０００５】
上記問題点を鑑みて、本発明は、録画予約データや視聴予約データの引継ぎが容易かつ確実となり利便性の高い放送受信装置を提供することを目的とする。
【課題を解決するための手段】
【０００６】
上記目的を達成するために本発明の放送受信装置は、録画予約機能および／または視聴予約機能を有する放送受信装置において、外部記録媒体が着脱自在に装着される装着手段と、録画予約データおよび／または視聴予約データが記憶される記憶部と、該記憶部に記憶された録画予約データおよび／または視聴予約データを前記装着手段に装着された外部記録媒体に記録させる記録手段と、を備えることを特徴としている。
【０００７】
また、本発明の放送受信装置は、外部記録媒体が着脱自在に装着される装着手段と、記憶部と、前記装着手段に装着された外部記録媒体に記録された録画予約データおよび／または視聴予約データを前記記憶部に記憶させる記憶手段と、を備え、前記記憶部に記憶された録画予約データに基づく録画動作および／または前記記憶部に記憶された視聴予約データに基づく視聴用動作を行うことを特徴としている。
【０００８】
また、本発明の放送受信装置は、録画予約機能および／または視聴予約機能を有する放送受信装置において、外部記録媒体が着脱自在に装着される装着手段と、録画予約データおよび／または視聴予約データが記憶される記憶部と、該記憶部に記憶された録画予約データおよび／または視聴予約データを前記装着手段に装着された外部記録媒体に記録させる記録手段と、前記装着手段に装着された外部記録媒体に記録された録画予約データおよび／または視聴予約データを前記記憶部に記憶させる記憶手段と、を備え、前記記憶部に記憶された録画予約データに基づく録画動作および／または前記記憶部に記憶された視聴予約データに基づく視聴用動作を行うことを特徴としている。
【０００９】
このような構成によれば、録画予約データや視聴予約データの引継ぎが外部記録手段を用いて行えるので容易かつ確実なものとなり利便性が高い。
【発明の効果】
【００１０】
本発明の放送受信装置によれば、録画予約データや視聴予約データの引継ぎが容易かつ確実となり利便性が高い。
【発明を実施するための最良の形態】
【００１１】
以下、本発明に係る実施形態について図面を参照し説明する。ここでは、デジタル放送受信に対応したハードディスクレコーダを例として説明する。
【００１２】
図１に、本発明に係るハードディスクレコーダのブロック図を示す。本発明に係るハードディスクレコーダは、チューナ部２、復調＆ＦＥＣ部３、デスクランブル部４、データ分離部５、映像音声デコード部６、制御部７、受信部８、Ｂ−ＣＡＳカードインタフェイス９、メモリカードインタフェイス１０、記憶部１１、ＭＰＥＧコーデック１２、ハードディスクドライブ１３、音声Ｄ／Ａコンバータ１４、映像合成部１５を有する。
【００１３】
アンテナ１は、チューナ部２に接続され、デジタル放送の放送電波を受信し、電気信号である放送信号に変換しチューナ部２に出力する。チューナ部２は、アンテナ１から入力される放送信号から所望の周波数成分の放送信号を抽出し、該抽出された放送信号に対して周波数変換を行い中間周波数信号を生成し、該生成された中間周波数信号を復調＆ＦＥＣ部３に出力する。復調＆ＦＥＣ部３は、中間周波数信号に対して復調およびエラー訂正（ＦＥＣ）等を行いトランスポートストリームを生成し、該生成されたトランスポートストリームをデスクランブル部４に出力する。
【００１４】
デスクランブル部４は、Ｂ−ＣＡＳカードインタフェイス９に接続されたＢ−ＣＡＳカードに記憶されたコンテンツ保護用鍵に基づき生成されたスクランブル鍵を用いてトランスポートストリームにデスクランブルを行う。
【００１５】
データ分離部５は、デスクランブルされたトランスポートストリームから映像データ、音声データ、付加情報を分離し、映像データおよび音声データは映像音声デコード部６に出力し、付加情報は制御部７に出力する。制御部７は、付加情報をハードディスクドライブ１３に出力し、ハードディスクドライブ１３は付加情報を内蔵するハードディスクに記録させる。
【００１６】
映像音声デコード部６は、データ分離部５から入力された映像データおよび音声データにデコードを行い、デコードされた映像データを映像合成部１５に出力し、デコードされた音声データを音声Ｄ／Ａコンバータ１４に出力する。また、映像音声デコード部６は、デコードされた映像データおよび音声データを制御部７に出力もする。
【００１７】
映像合成部１５は、映像音声デコード部６から入力された映像データと、制御部７から入力される文字図形画像データとを合成し、合成データに基づく表示用信号をハードディスクレコーダに接続された不図示の表示装置に出力する。また、映像合成部１５は、上記合成を行わず、制御部７から入力される文字図形画像データに基づく表示用信号を出力することも行う。音声Ｄ／Ａコンバータ１４は、映像音声デコード部６から入力された音声データをデジタルからアナログに変換し不図示の表示装置に出力する。
【００１８】
制御部７は、ハードディスクレコーダ全体を制御するものであり、チューナ部２に抽出する放送信号の周波数を指示したり、文字図形画像データを生成し映像合成部１５に出力したりする。
【００１９】
受信部８は、不図示のリモコンから赤外線信号を受信し、リモコン操作に対応したコード信号を制御部７に出力する。
【００２０】
Ｂ−ＣＡＳカードインタフェイス９は、不図示のＢ−ＣＡＳカードが接続される。Ｂ−ＣＡＳカードは、ハードディスクレコーダを購入したユーザに対して提供されるＩＣカードであり、デスクランブルに用いられるコンテンツ保護用鍵等の情報が記憶されている。また、メモリカードインタフェイス１０は、不図示のメモリカード（例えばＳＤメモリカード、メモリスティック等）が接続される。メモリカードは、後述するように各種予約データの記録に用いられる。また、記憶部１１は、予約設定された各種予約データが記憶される。
【００２１】
ＭＰＥＧコーデック１２は、映像音声デコード部６から制御部７を介して入力された映像データおよび音声データを圧縮して映像圧縮データおよび音声圧縮データをハードディスクドライブ１３に出力する。また、ＭＰＥＧコーデック１２は、ハードディスクドライブ１３から入力された映像圧縮データおよび音声圧縮データを伸長して、映像データを映像合成部１５に出力し、音声データを音声Ｄ／Ａコンバータ１４に出力する。
【００２２】
ハードディスクドライブ１３は、ＭＰＥＧコーデック１２から入力された映像圧縮データおよび音声圧縮データを内蔵するハードディスクに記録させたり、ハードディスクから映像圧縮データおよび音声圧縮データを読み出してＭＰＥＧコーデック１２に出力したりする。
【００２３】
次に、以上のような構成の本発明に係るハードディスクレコーダにおける録画予約機能について説明する。
【００２４】
録画予約のために録画予約入力画面表示操作が不図示のリモコンにおいてされると、制御部７は、受信部８から入力されるコード信号に基づき文字図形画像データを生成し、文字図形画像データを映像合成部１５に出力し、映像合成部１５が文字図形画像データに基づく表示用信号を不図示の表示装置に出力し、表示装置に録画予約入力画面が表示される。
【００２５】
録画予約入力画面は、開始時刻（日付、時分）、終了時刻（日付、時分）、チャンネルが入力可能な画面である。ここで、リモコン操作により、開始時刻、終了時刻、チャンネルそれぞれが入力され、リモコンにおいて決定操作がされると、制御部７は、入力された開始時刻、終了時刻、チャンネルに対応する開始時刻データ、終了時刻データ、チャンネルデータを記憶部１１の第１領域に記憶させる。以上のようなリモコン操作が繰り返される度に記憶部１１の第１領域に同様のデータが追加記憶される。
【００２６】
また、前述した録画予約入力画面表示操作とは別の録画予約入力画面表示操作がリモコンにおいてされると、表示装置には前述した録画予約入力画面とは別の録画予約入力画面が表示される。ここでの録画予約入力画面は、曜日、開始時刻（時分）、終了時刻（時分）、チャンネルが入力可能な画面である。本画面は、毎週所定の曜日の所定の時刻から放送開始される放送番組の録画予約をするための画面である。
【００２７】
ここで、リモコン操作により、曜日、開始時刻、終了時刻、チャンネルそれぞれが入力され、リモコンにおいて決定操作がされると、制御部７は、入力された曜日、開始時刻、終了時刻、チャンネルに対応する曜日データ、開始時刻データ、終了時刻データ、チャンネルデータを記憶部１１の第２領域に記憶させる。以上のようなリモコン操作が繰り返される度に記憶部１１の第２領域に同様のデータが追加記憶される。
【００２８】
また、ＥＰＧ（電子番組表）を利用した録画予約も可能である。リモコンにおいてＥＰＧ表示操作がされると、制御部７は受信部８からコード信号を受信し、ハードディスクドライブ１３がハードディスクから読み出した付加情報に基づき文字図形画像データを生成し、該生成された文字図形画像データを映像合成部１５に出力する。そして、映像合成部１５が文字図形画像データに基づく表示用信号を表示装置に出力し、表示装置にＥＰＧが表示される。
【００２９】
ここで、リモコン操作により或る放送番組が選択されると、制御部７は、該選択された放送番組の開始時刻、終了時刻、チャンネルに対応する開始時刻データ、終了時刻データ、チャンネルデータを記憶部１１の第１の領域に記憶させる。放送番組が選択される度に記憶部１１の第１領域に同様のデータが追加記憶される。
【００３０】
以上のような録画予約設定の後、記憶部１１の第１領域に記憶された開始時刻データのうちのいずれかの開始時刻データが表す開始時刻が現在時刻に一致すると、制御部７は、該開始時刻データに対応するチャンネルデータに対応する周波数の放送信号を抽出するようにチューナ部２に指示する。そして、制御部７は、ハードディスクドライブ１３に放送番組の録画を開始させる。その後、現在時刻が上記開始時刻データに対応する終了時刻データが表す終了時刻に一致すると、制御部７は、ハードディスクドライブ１３に放送番組の録画を終了させる。その後、制御部７は、上記開始時刻データおよびそれに対応する終了時刻データ、チャンネルデータを記憶部１１の第１領域から消去する。その後も、記憶部１１の第１領域に記憶された開始時刻データのうちのいずれかの開始時刻データが表す開始時刻が現在時刻に一致する度に同様の動作が繰り返される。
【００３１】
また、記憶部１１の第２領域に記憶された曜日データとそれに対応する開始時刻データからなる組のうちのいずれかの組が表す開始時刻が現在時刻に一致すると、制御部７は、該組に対応するチャンネルデータに対応する周波数の放送信号を抽出するようにチューナ部２に指示する。そして、制御部７は、ハードディスクドライブ１３に放送番組の録画を開始させる。その後、現在時刻が上記組に対応する終了時刻データが表す終了時刻に一致すると、制御部７は、ハードディスクドライブ１３に放送番組の録画を終了させる。その後も、記憶部１１の第２領域に記憶された曜日データとそれに対応する開始時刻データからなる組のうちのいずれかの組が表す開始時刻が現在時刻に一致する度に同様の動作が繰り返される。
【００３２】
次に、本発明に係るハードディスクレコーダにおける視聴予約機能について説明する。
【００３３】
視聴予約のために視聴予約入力画面表示操作が不図示のリモコンにおいてされると、制御部７は、受信部８から入力されるコード信号に基づき文字図形画像データを生成し、文字図形画像データを映像合成部１５に出力し、映像合成部１５が文字図形画像データに基づく表示用信号を不図示の表示装置に出力し、表示装置に視聴予約入力画面が表示される。
【００３４】
視聴予約入力画面は、開始時刻（日付、時分）、終了時刻（日付、時分）、チャンネルが入力可能な画面である。ここで、リモコン操作により、開始時刻、終了時刻、チャンネルそれぞれが入力され、リモコンにおいて決定操作がされると、制御部７は、入力された開始時刻、終了時刻、チャンネルに対応する開始時刻データ、終了時刻データ、チャンネルデータを記憶部１１の第３領域に記憶させる。以上のようなリモコン操作が繰り返される度に記憶部１１の第３領域に同様のデータが追加記憶される。
【００３５】
また、前述した視聴予約入力画面表示操作とは別の視聴予約入力画面表示操作がリモコンにおいてされると、表示装置には前述した視聴予約入力画面とは別の視聴予約入力画面が表示される。ここでの視聴予約入力画面は、曜日、開始時刻（時分）、終了時刻（時分）、チャンネルが入力可能な画面である。本画面は、毎週所定の曜日の所定の時刻から放送開始される放送番組の視聴予約をするための画面である。
【００３６】
ここで、リモコン操作により、曜日、開始時刻、終了時刻、チャンネルそれぞれが入力され、リモコンにおいて決定操作がされると、制御部７は、入力された曜日、開始時刻、終了時刻、チャンネルに対応する曜日データ、開始時刻データ、終了時刻データ、チャンネルデータを記憶部１１の第４領域に記憶させる。以上のようなリモコン操作が繰り返される度に記憶部１１の第４領域に同様のデータが追加記憶される。
【００３７】
また、ＥＰＧを利用した視聴予約も可能である。リモコンにおいてＥＰＧ表示操作がされると、制御部７は受信部８からコード信号を受信し、ハードディスクドライブ１３がハードディスクから読み出した付加情報に基づき文字図形画像データを生成し、該生成された文字図形画像データを映像合成部１５に出力する。そして、映像合成部１５が文字図形画像データに基づく表示用信号を表示装置に出力し、表示装置にＥＰＧが表示される。
【００３８】
ここで、リモコン操作により或る放送番組が選択されると、制御部７は、該選択された放送番組の開始時刻、終了時刻、チャンネルに対応する開始時刻データ、終了時刻データ、チャンネルデータを記憶部１１の第３の領域に記憶させる。放送番組が選択される度に記憶部１１の第３領域に同様のデータが追加記憶される。
【００３９】
以上のような視聴予約設定の後、記憶部１１の第３領域に記憶された開始時刻データのうちのいずれかの開始時刻データが表す開始時刻が現在時刻に一致すると、制御部７は、該開始時刻データに対応するチャンネルデータに対応する周波数の放送信号を抽出するようにチューナ部２に指示する。そして、映像音声デコード部６は、映像データを映像合成部１５に出力し、音声データを音声Ｄ／Ａコンバータ１４に出力し、不図示の表示装置に放送番組の画像が表示され、表示装置のスピーカから放送番組の音声が発せられる。
【００４０】
その後、現在時刻が上記開始時刻データに対応する終了時刻データが表す終了時刻に一致すると、映像音声デコード部６は映像データ、音声データの出力を停止する。その後、制御部７は、上記開始時刻データおよびそれに対応する終了時刻データ、チャンネルデータを記憶部１１の第３領域から消去する。その後も、記憶部１１の第３領域に記憶された開始時刻データのうちのいずれかの開始時刻データが表す開始時刻が現在時刻に一致する度に同様の動作が繰り返される。
【００４１】
また、記憶部１１の第４領域に記憶された曜日データとそれに対応する開始時刻データからなる組のうちのいずれかの組が表す開始時刻が現在時刻に一致すると、制御部７は、該組に対応するチャンネルデータに対応する周波数の放送信号を抽出するようにチューナ部２に指示する。そして、映像音声デコード部６は、映像データを映像合成部１５に出力し、音声データを音声Ｄ／Ａコンバータ１４に出力し、不図示の表示装置に放送番組の画像が表示され、表示装置のスピーカから放送番組の音声が発せられる。その後、現在時刻が上記組に対応する終了時刻データが表す終了時刻に一致すると、映像音声デコード部６は映像データ、音声データの出力を停止する。
【００４２】
その後も、記憶部１１の第４領域に記憶された曜日データとそれに対応する開始時刻データからなる組のうちのいずれかの組が表す開始時刻が現在時刻に一致する度に同様の動作が繰り返される。
【００４３】
次に、本発明に係るハードディスクレコーダの予約データコピー機能について説明する。
【００４４】
メモリカードがメモリカードインタフェイス１０に接続された状態で、不図示のリモコンが有する予約データ書込みキーが押し下げられると、制御部７は、受信部８からコード信号を受信し、記憶部１１の第１領域に記憶された録画予約データを含んだファイルを生成し該ファイルを所定の第１のファイル名のファイルとしてメモリカードインタフェイス１０を介してメモリカードに記録させ、記憶部１１の第２領域に記憶された録画予約データを含んだファイルを生成し該ファイルを所定の第２のファイル名のファイルとしてメモリカードインタフェイス１０を介してメモリカードに記録させ、記憶部１１の第３領域に記憶された視聴予約データを含んだファイルを生成し該ファイルを所定の第３のファイル名のファイルとしてメモリカードインタフェイス１０を介してメモリカードに記録させ、記憶部１１の第４領域に記憶された視聴予約データを含んだファイルを生成し該ファイルを所定の第４のファイル名のファイルとしてメモリカードインタフェイス１０を介してメモリカードに記録させる。これにより、記憶部１１に記憶された予約データをメモリカードにコピーすることができる。
【００４５】
また逆に、上記のようにメモリカードに記録された予約データを記憶部１１にコピーすることもできる。メモリカードがメモリカードインタフェイス１０に接続された状態で、不図示のリモコンが有する予約データ読込みキーが押し下げられると、制御部７は、受信部８からコード信号を受信し、メモリカードインタフェイス１０を介してメモリカードから読み込んだ所定の第１のファイル名のファイルが含む録画予約データを記憶部１１の第１領域に記憶させ、メモリカードインタフェイス１０を介してメモリカードから読み込んだ所定の第２のファイル名のファイルが含む録画予約データを記憶部１１の第２領域に記憶させ、メモリカードインタフェイス１０を介してメモリカードから読み込んだ所定の第３のファイル名のファイルが含む視聴予約データを記憶部１１の第３領域に記憶させ、メモリカードインタフェイス１０を介してメモリカードから読み込んだ所定の第４のファイル名のファイルが含む視聴予約データを記憶部１１の第４領域に記憶させる。
【００４６】
ここで、ユーザが現在、本発明に係るハードディスクレコーダＡ（図２）を使用しており、記憶部１１に録画予約データおよび視聴予約データが記憶されているとする。そして、ユーザが、新しく購入した本発明に係るハードディスクレコーダＢを今後使用しようとしているか、または、ハードディスクレコーダＡを修理に出すため、代替品である本発明に係るハードディスクレコーダＢを今後使用しようとしているとする。この場合、ユーザはまずハードディスクレコーダＡが有するメモリカードインタフェイス１０にメモリカードＭＣを接続し、ハードディスクレコーダＡ用のリモコンが有する予約データ書込みキーを押し下げる。すると、ハードディスクレコーダＡが有する記憶部１１に記憶された録画予約データおよび視聴予約データがメモリカードＭＣにファイルとして記録される。
【００４７】
それから、ユーザはハードディスクレコーダＡが有するメモリカードインタフェイス１０からメモリカードＭＣを引き抜き、これをハードディスクレコーダＢが有するメモリカードインタフェイス１０に接続する。そして、ハードディスクレコーダＢ用のリモコンが有する予約データ読込みキーをユーザが押し下げると、メモリカードＭＣに記録されたファイルが読み込まれ、ハードディスクレコーダＢが有する記憶部１１にファイル中の録画予約データおよび視聴予約データが記憶される。その後、この記憶部１１に記憶された録画予約データに基づく録画動作および記憶部１１に記憶された視聴予約データに基づく視聴用動作がハードディスクレコーダＢにおいて行われる。
【００４８】
このように本発明によれば、現在使用しているハードディスクレコーダから新たに使用しようとするハードディスクレコーダへの録画予約データおよび視聴予約データの引継ぎが容易かつ確実に行え、新たに使用するハードディスクレコーダにより所望の録画や視聴をすることができる。
【００４９】
なお、本発明の実施形態は趣旨を逸脱しない程度に種々の変更が可能である。例えば、Ｂ−ＣＡＳカードのＩＣチップにデータ書込み領域を設け、メモリカードを用いた前述と同様な方法で、Ｂ−ＣＡＳカードインタフェイス９を介してＢ−ＣＡＳカードのデータ書込み領域に記憶部１１に記憶された予約データを記録したり、Ｂ−ＣＡＳカードインタフェイス９を介して記憶部１１にＢ−ＣＡＳカードのデータ書込み領域に記録された予約データを記憶するようにしてもよい。
【００５０】
また、メモリカードインタフェイス１０の代わりにＵＳＢインタフェイスを設け、ＵＳＢインタフェイスに接続されたＵＳＢメモリに予約データをファイルとして記録したり、ＵＳＢメモリからファイルを読み込むようにしてもよい。
【００５１】
また、メモリカードインタフェイス１０の代わりに光ディスクドライブを設け、光ディスクドライブに装填された光ディスク（ＣＤ、ＤＶＤ等）に予約データをファイルとして記録したり、光ディスクからファイルを読み込むようにしてもよい。
【００５２】
また、本発明はデジタル放送受信に対応したハードディスクレコーダに限らず、デジタル放送受信に対応したテレビ、ＤＶＤレコーダ、ビデオテープレコーダやデジタルチューナ等にも適用可能であり、アナログ放送を受信する装置にも適用可能である。
【図面の簡単な説明】
【００５３】
【図１】は、本発明に係るハードディスクレコーダのブロック図である。
【図２】は、本発明に係るハードディスクレコーダによる予約データの引継ぎを説明する図である。
【符号の説明】
【００５４】
１    アンテナ
２    チューナ部
３    復調＆ＦＥＣ部
４    デスクランブル部
５    データ分離部
６    映像音声デコード部
７    制御部
８    受信部
９    Ｂ−ＣＡＳカードインタフェイス
１０    メモリカードインタフェイス
１１    記憶部
１２    ＭＰＥＧコーデック
１３    ハードディスクドライブ
１４    音声Ｄ／Ａコンバータ
１５    映像合成部
【図１】
2008066772.tif 000003
【図２】
2008066772.tif 000004